(57)【要約】【課題】外径の大きなレンズを用いることができ、バックフォーカスの調整が容易で、且つ、レンズの無駄な消費を抑制可能なレンズ駆動装置およびカメラモジュールを提供する。【解決手段】  レンズ駆動装置は、接合レンズ１０と、接合レンズ１０を保持するレンズ保持部材２０と、レンズ保持部材２０を保持するとともに接合レンズ１０の光軸方向に駆動されるホルダ３０とを備える。レンズ保持部材２０は、光軸方向に接合レンズ１０に積み重なるようにして接合レンズ１０を保持する。また、レンズ保持部材２０は、光軸の方向に移動可能で且つホルダ３０に脱着可能なように、ねじ部２２をねじ部３２に螺合させることによって、ホルダ３０に装着される。【選択図】図１
2012047834.tif 000002
【特許請求の範囲】
【請求項１】
レンズと、
前記レンズを保持する保持部材と、
前記保持部材を保持するとともに前記レンズの光軸方向に駆動されるホルダと、を備え、
前記保持部材は、前記光軸方向に前記レンズに積み重なるようにして前記レンズを保持するとともに、前記光軸の方向に移動可能で且つ前記ホルダに脱着可能なように、前記ホルダに装着される、
ことを特徴とするレンズ駆動装置。
【請求項２】
請求項１に記載のレンズ駆動装置において、
前記保持部材および前記ホルダは、互いに螺合するねじ部を備え、
前記保持部材は、これらねじ部を互いに螺合させることにより、前記ホルダに装着される、
ことを特徴とするレンズ駆動装置。
【請求項３】
請求項２に記載のレンズ駆動装置において、
複数のレンズが前記保持部材に保持され、該複数のレンズが一体化されるとともに、最も光の入射側の前記レンズの光入射側の面が、前記保持部材の光出射側の面に固着される、
ことを特徴とするレンズ駆動装置。
【請求項４】
請求項３に記載のレンズ駆動装置において、
前記保持部材には、最も光の入射側の前記レンズが嵌め込まれる嵌合部が形成され、最も光の入射側の前記レンズを前記嵌合部に嵌め込むと、前記保持部材の前記ねじ部の中心軸に前記複数のレンズの光軸が整合される、
ことを特徴とするレンズ駆動装置。
【請求項５】
請求項３または４に記載のレンズ駆動装置において、
前記複数のレンズのうち最も径の小さいレンズが、最も光の入射側に配置される、
ことを特徴とするレンズ駆動装置。
【請求項６】
請求項５に記載のレンズ駆動装置において、
前記保持部材の前記ねじ部が、前記複数のレンズのうち光の入射側から２番目のレンズの側面よりも、光の入射側に寄った位置に配置される、
ことを特徴とするレンズ駆動装置。
【請求項７】
請求項１ないし６の何れか一項に記載のレンズ駆動装置を備えることを特徴とするカメラモジュール。
【発明の詳細な説明】
【技術分野】
【０００１】
本発明は、レンズ駆動装置およびこれを備えたカメラモジュールに関する。
【背景技術】
【０００２】
従来、携帯電話機等にはカメラモジュールが搭載されている。かかるカメラモジュールは、レンズ駆動装置を備える。レンズ駆動装置は、たとえば、レンズと、レンズを支持するバレルと、バレルを支持するホルダと、ホルダをレンズの光軸方向に移動可能に支持するベースと、ベースをベースの下方から支持するベーカバーとを備える構成とされ得る（たとえば、特許文献１）。バレルは、中空円筒状の形状を有し、外側面に、ネジ切りが施されている。ホルダの内側面には、バレルの外側面に形成されたネジと噛み合うネジ切りが施される。バレルとホルダのネジを互いに螺合させることで、バレルがホルダに装着される。
【０００３】
バレル内部の空間には、各レンズの光軸とバレルの中心軸（バレルを円柱として見た場合の中心軸）とが一致するように、複数のレンズが支持される。バレルはネジを介してホルダに支持されるため、バレルを回転させてホルダに対するバレルの相対位置をレンズの光軸方向に変位させることができる。これにより、レンズの位置をレンズの光軸方向に調節することが可能である。この調節により、レンズによって集光された光を撮像素子に結像させるためのバックフォーカスの調整が可能である。
【先行技術文献】
【特許文献】
【０００４】
【特許文献１】特開２００７−２７１８２１号公報
【発明の概要】
【発明が解決しようとする課題】
【０００５】
上記レンズ駆動装置では、レンズの周囲がバレルに囲まれるため、レンズの外径をバレルの内径よりも大きくできない。この場合、バレルを省略して、レンズを直接ホルダに装着する構成がとられ得る。こうすると、バレルが無い分、レンズの口径を大きくすることができる。
【０００６】
しかし、この構成では、レンズがホルダに直接、接着固定されるため、レンズのホルダに対する相対位置をレンズの光軸方向に変位させることが困難である。このため、かかる構成のレンズ駆動装置がカメラモジュールに用いられると、バックフォーカスの調整が困難である。
【０００７】
また、この構成では、レンズ駆動装置の組み立て後に、レンズをレンズ駆動装置へ装着することが困難なため、予めレンズが組み込まれた状態で、レンズ駆動装置の動作試験が行われる。したがって、組み立て後にレンズ駆動装置が不良であることが判明したような場合には、レンズに何ら問題がなかったとしても、組み込まれたレンズが廃棄されてしまう、という問題が生じる。
【０００８】
本発明は、かかる課題を解消するために為されたものであり、大きなレンズを用いることができ、バックフォーカスの調整が容易で、且つ、レンズの無駄な消費を抑制可能なレンズ駆動装置およびカメラモジュールを提供することを目的とする。
【課題を解決するための手段】
【０００９】
本発明の第１の態様は、レンズ駆動装置に関する。本態様に係るレンズ駆動装置は、レンズと、前記レンズを保持する保持部材と、前記保持部材を保持するとともに前記レンズの光軸方向に駆動されるホルダとを備える。ここで、前記保持部材は、前記光軸方向に前記レンズに積み重なるようにして前記レンズを保持する。また、前記保持部材は、前記光軸の方向に移動可能で、且つ、前記ホルダに脱着可能なように、前記ホルダに装着される。
【００１０】
この構成によれば、保持部材がレンズの光軸方向に前記レンズに積み重なるようにしてレンズを保持する構成であるため、レンズの外周が保持部材によって覆われず、よって、レンズの口径を大きくすることができる。また、保持部材がレンズの光軸の方向に移動可能なように、ホルダへ装着されるため、レンズ駆動装置がカメラモジュールに装着されると、バックフォーカスの調節が可能である。さらに、保持部材が、脱着可能なように、ホルダに装着されるため、レンズ駆動装置が組み立てられ動作確認が行われた後にレンズをレンズ駆動装置に装着することができる。よって、レンズの無駄な消費を抑制することができる。
【００１１】
本態様に係るレンズ駆動装置において、前記保持部材および前記ホルダは、互いに螺合するねじ部を備えるよう構成され得る。この場合、前記保持部材は、これらねじ部を互いに螺合させることにより、前記ホルダに装着される。
【００１２】
この構成によれば、保持部材およびホルダに形成されたねじ部の螺合状態を変えることにより、光軸方向におけるレンズの位置を調整することができる。よって、バックフォーカスの調整を容易に行うことができる。
【００１３】
本態様に係るレンズ駆動装置は、複数のレンズが前記保持部材に保持される構成とされ得る。
【００１４】
この場合、前記複数のレンズが一体化されるとともに、最も光の入射側の前記レンズの光入射側の面が、前記保持部材の光出射側の面に固着されるよう構成され得る。
【００１５】
この構成によれば、最も光の入射側の前記レンズを、前記保持部材に固着するだけで、一体化された複数のレンズを保持部材に装着することができる。
【００１６】
この構成において、前記保持部材には、最も光の入射側の前記レンズが嵌め込まれる嵌合部が形成され、最も光の入射側の前記レンズを前記嵌合部に嵌め込むと、前記保持部材の前記ねじ部の中心軸に前記複数のレンズの光軸が整合されるよう構成され得る。
【００１７】
この構成によれば、最も光の入射側の前記レンズを、前記嵌合部に嵌合するだけで、一体化された複数のレンズの光軸を調整することができる。
【００１８】
この構成において、前記複数のレンズのうち最も径の小さいレンズが、最も光の入射側に配置されるよう構成され得る。
【００１９】
この構成によれば、保持部材を、光の入射側の最も径が小さいレンズの外周に配することができるため、保持部材のねじ部を、レンズの径方向に小型化できる。
【００２０】
この場合、前記保持部材の前記ねじ部が、前記複数のレンズのうち光の入射側から２番目のレンズの側面よりも、光の入射側に寄った位置に配置され得る。
【００２１】
この構成によれば、保持部材を、光の入射側から１番目と２番目のレンズの間の光軸に
垂直な方向の空きスペースに配することができるため、保持部材によるレンズ駆動装置の大型化を抑制することができる。
【００２２】
本発明の第２の態様はカメラモジュールの関する。本態様に係るカメラモジュールは、上記第１の態様に係るレンズ駆動装置を備える。
【００２３】
本態様に係るカメラモジュールによれば、上記第１の態様と同様の効果を奏することができる。
【発明の効果】
【００２４】
以上のとおり、本発明によれば、口径の大きなレンズを用いることができ、バックフォーカスの調整が容易で、且つ、レンズの無駄な消費を抑制可能なレンズ駆動装置およびカメラモジュールを提供することができる。
【００２５】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２６】
【図１】実施の形態に係るレンズ駆動装置の構成を示す分解斜視図である。
【図２】実施の形態に係るホルダ、接合レンズ、レンズ保持部材の構成を示す断面図である。
【図３】実施の形態に係るレンズ駆動装置の組み立て工程を説明する図である。
【図４】実施の形態に係るレンズ駆動装置の組み立て工程を説明する図である。
【図５】実施の形態に係るレンズ駆動装置の動作を説明する図である。
【図６】実施の形態に係るカメラモジュールの構成を示す図である。
【図７】変更例１に係るホルダ、接合レンズ、レンズ保持部材の構成を示す断面図である。
【図８】変更例１に係るレンズ駆動装置の組み立て工程を説明する図である。
【図９】変更例２に係るレンズ駆動装置の構成を示す分解斜視図である。
【図１０】変更例２に係るホルダ、接合レンズ、レンズ保持部材の構成を示す断面図である。
【図１１】変更例２に係るレンズ駆動装置の組み立て工程を説明する図である。
【図１２】変更例２に係るレンズ駆動装置の組み立て工程を説明する図である。
【発明を実施するための形態】
【００２７】
以下、本発明の実施の形態について、図面を参照して説明する。
【００２８】
図１は、レンズ駆動装置の構成を示す分解斜視図である。図１（ａ）は、上側から見た分解斜視図、図１（ｂ）は、下側から見た分解斜視図である。
【００２９】
図１を参照して、レンズ駆動装置は、接合レンズ１０と、レンズ保持部材２０と、ホルダ３０と、磁石４０と、シャフト５０と、ベース６０と、コイル７０と、カバー８０とを備えている。
【００３０】
接合レンズ１０は、レンズ１１〜１４を有している。レンズ保持部材２０は、接合レンズ１０を保持するとともに、ホルダ３０に装着される。
【００３１】
ホルダ３０は、上側約半分の部分からなる略中空円筒状の形状を有する円柱部３０ａと、残りの下側約半分の部分からなる角柱部３０ｂとの２つの部分に分けられる。ホルダ３
０は、中心軸に対して対称な形状を有している。
【００３２】
円柱部３０ａの上側の中央部には、レンズ収容部３１へ通じる開口３３が形成されている。角柱部３０ｂは、平面視では、略正方形の形状を有する。より正確には、角柱部３０ｂは、平面視では、４つの角をそれぞれ同様に切り落とされた８角形状を有する。
【００３３】
図２は、接合レンズ１０、レンズ保持部材２０ならびにホルダ３０の形状と、これらの部材の組み立てを説明する図１（ａ）のＡ−Ａ´断面図である。図２（ａ）は、これらの部材の組み立て前の図、図２（ｂ）は組み立て後の各部材の配置の様子を示す図である。
【００３４】
図２（ａ）を参照して、接合レンズ１０は、４つのレンズ１１〜１４と、クランプリング１５からなる。
【００３５】
レンズ１１〜１４は、各レンズの光軸が互いに一致するように、かつ外径が小さいものからレンズ１１、レンズ１２、レンズ１３、レンズ１４の順番で光の入射側から出射側へ積み重なるように、互いに接着固定されて一体化されている。クランプリング１５は、径がレンズ１４の径とほぼ同じの、中空円筒状の形状をしている。レンズ１４の光の出射側の面の外周に、中央軸がレンズ１１〜１４の光軸に一致するように、クランプリング１５が装着されている。各レンズ間には、絞り（図示せず）が挿入されている。また、各レンズ間の距離を調整するためのスペーサを設けることができる。
【００３６】
なお、本実施の形態において、レンズ１１、レンズ１２、レンズ１３、レンズ１４は、中央に、曲面形状を有するレンズ部が形成され、レンズ部の外周側に、レンズを積み重ねるための組み付け部が形成されている。レンズ１１〜１４の有効径は、各レンズ１１〜１４のレンズ部に設定される。光は中央のレンズ部を透過して収束・拡散等の光学作用を受ける。レンズ１１〜１４の各レンズ部を通った光が、イメージセンサ等の受光部に導かれる。
【００３７】
レンズ１１、レンズ１２、レンズ１３およびレンズ１４の外径（組付け部の外径）をそれぞれφ１１、φ１２、φ１３、φ１４とすると、φ１１＜φ１２＜φ１３＜φ１４である。本実施の形態では、光の入射側から有効径が小さい順に並ぶように、レンズ１１〜１４が配置されている。
【００３８】
レンズ保持部材２０は、平面視で円形状をしている。レンズ保持部材２０の中央には、光をレンズ駆動装置へ入射させるための円形の孔２１が形成されている。また、レンズ保持部材２０の外周の側面には、ねじ切りが施され、ねじ部２２が形成されている。
【００３９】
レンズ保持部材２０の底部の中央には、接合レンズ１０の最上部を嵌入するための、円形の凹部２３が形成されている。なお、凹部２３の中央部には、上述の孔２１が繋がっており、光がレンズの光軸の方向に貫通できるようになっている。
【００４０】
凹部２３の径は、レンズ１１の最上面の外周が形成する円の径にほぼ等しい。接合レンズ１０は、図２（ｂ）に示すように、レンズ１１の上部を凹部２３へ嵌入させるようにして、レンズ保持部材２０へ装着される。このようにレンズ１１の上部を凹部２３へ嵌入させると、レンズ保持部材２０の中心軸（ねじ部２２の中心軸）と接合レンズ１０の光軸が一致する。接合レンズ１０が装着されたレンズ保持部材２０を上方から見ると、レンズ保持部材２０の孔２１からは、装着されたレンズ１１の上面の中央部分が外部に臨む。
【００４１】
ホルダ３０は、その中央部に、接合レンズ１０を収容するためのレンズ収容部３１を備えている。レンズ収容部３１の最上部の内側面には、レンズ保持部材２０のねじ部２２に
螺合するねじ部３２が形成されている。
【００４２】
レンズ収容部３１が形成する空間は、略円柱状の形状を有する。より正確には、レンズ収容部３１は、図２（ａ）に示す通り、径が異なる複数の円柱状の空間を有する。これらの空間は、それぞれの中央軸が一致するようにして、径が小さいものから光の入射側から順番に並ぶように積み重なっている。
【００４３】
接合レンズ１０は、上記のようにレンズ保持部材２０に装着された後、レンズ保持部材２０のねじ部２２をホルダ３０のねじ部３２に螺合させることにより、同図（ｂ）のように、ホルダ３０のレンズ収容部３１に収容される。こうして接合レンズ１０がレンズ収容部３１に収容されると、レンズ１１〜１４の光軸とホルダ３０の中心軸とが一致する。また、レンズ保持部材２０のねじ部２２とホルダ３０のねじ部３２の螺合状態を変えることで、ホルダ３０に対するレンズ１１〜１４の位置を、光軸方向に変化させることができる。これにより、レンズ１１〜１４に対するバックフォーカスの調整（後述）が可能となる。
【００４４】
なお、接合レンズ１０がレンズ収容部３１へ収容された状態では、図２（ｂ）に示す通り、接合レンズ１０とホルダ収容部３１の側面部との間には、ほぼ一定の幅の間隙が形成される。
【００４５】
また、同図（ｂ）に示す通り、接合レンズ１０がホルダ３０へ収容された状態において、クランプリング１５の底部はホルダ３０の底部より上側に位置する。
【００４６】
図１に戻り、磁石４０は、長方形の板状の形状を有する。磁石４０は、一つの面がＮ極に、他方の面がＳ極になるよう着磁されている。
【００４７】
ホルダ３０の角柱部３０ｂには、４つの側面に、それぞれ磁石装着部３４が形成されている。磁石装着部３４は凹部となっており、凹部の形状は、磁石４０の形状と略同じである。磁石４０は、Ｓ極が内側を向きＮ極が外側を向くように、それぞれ磁石装着部３４へ装着固定される。磁石４０が磁石装着部３４へ装着されると、磁石のＮ極側の面と、角柱部３０ｂの側面とは、面一になる。
【００４８】
シャフト５０は、丸棒状の形状を有している。ホルダ３０の角柱部３０ｂの、対角の位置にある２つの角部に、それぞれ、ホルダ３０の中心軸の方向に貫通する孔３５が形成されている。２つのシャフト５０は、それぞれ、孔３５に挿入される。孔３５の内径は、シャフト５０の断面の径とほぼ同じである。シャフト５０は、フォーカス調整のためにホルダ３０を光軸方向に移動可能に保持するための手段として用いられる。
【００４９】
ベース６０は、上面が開放された箱形の形状を有する。ベース６０の外形は、略直方体である。ベース６０は、ホルダ３０を収容するためのホルダ収容部６１を備える。ホルダ収容部６１の形状は、平面視で、ホルダの外形にほぼ一致する。ベース６０の各側面部には、長方形状の窓部６２が形成されている。
【００５０】
コイル７０は、４つの窓部６２を全て覆うようにして、ベース６０の周囲に、１方向に巻き付けられている。磁石４０がホルダ３０へ装着された状態でホルダ３０がベース６０に収容されると、磁石４０のＮ極の面が、窓部６２を介して、コイル７０に対向する。各窓部６２は、磁石４０のＮ極の面よりも大きい。
【００５１】
また、ベース６０の底部６３には、その中央に、上方から入射した光を下方へ通すための円形の開口６４が形成されている。
【００５２】
カバー８０は、下面が開放された箱形状であって、平面視で略正方形の形状を有する。カバー８０は、ベース６０を収容するためのベース収容部８１を備える。ベース収容部８１の形状は、ベース６０の外形に略等しい。カバー８０の上面の中央には、ホルダ３０の円柱部３０ａの上部を下方から通すための、円形の開口８２が形成されている。開口８２の径は、円柱部３０ａの径よりもやや大きい。
【００５３】
ベース６０の底部６３には、シャフト５０が嵌入される２つの孔６５が、対角の位置に形成されている。同様に、カバー８０の上面にも、シャフト５０が嵌入される２つの孔８３が、対角の位置に形成されている。ベース６０がカバー８０へ嵌入された状態において、孔６５と孔８３は、平面視で同じ位置にあるように形成されている。また、ベース６０の２つの孔６５間の距離ならびにカバー８０の２つの孔８３の間の距離は、ホルダ３０に形成された孔３５の間の距離に等しい。
【００５４】
シャフト５０は、孔３５に通されるようにして、その両端が孔６５と孔８３に嵌入される。こうして、シャフト５０が装着されると、シャフト５０は、光軸に平行な向きに配置される。これにより、シャフト５０は、ホルダ３０を光軸の方向に変位可能に保持することが可能となる。また、ベース６０がカバー８０へ嵌入されることで、ベース６０はカバー８０に固定保持され、シャフト５０の位置も固定される。
【００５５】
本実施の形態では、接合レンズ１０の外径（平面視における、接合レンズの最外周の径）は、ホルダ３０の開口３３の径よりも小さい。したがって、接合レンズ１０は、ホルダ３０の開口３３を通って、レンズ収容部３１へ収容され得る。
【００５６】
次に、図３および図４を参照して、レンズ駆動装置の組み立て工程を説明する。図３（ａ）および（ｂ）は、それぞれ、組み立て過程の状態を上側および下側から見た斜視図、図４（ａ）は、接合レンズ１０が装着される前の状態を上側から見た斜視図、図４（ｂ）は、組み立て完了時の状態を上側から見た斜視図である。
【００５７】
図３（ａ）、（ｂ）に示す如く、レンズ駆動装置の組み立ての際には、上記のようにして、接合レンズ１０をレンズ保持部材２０に装着する。また、磁石４０が装着されたホルダ３０を、ベース６０のホルダ収容部６１に収容する。さらに、シャフト５０を、上から孔３５に挿入し、シャフト５０の先端をベース６０に形成された孔６５に嵌入させる。ベース６０には、コイル７０が巻かれている。
【００５８】
次に、図４（ａ）に示す如く、カバー８０を上側からベース６０に嵌入させ、同時にシャフト５０の上端をカバー８０に形成された孔８３に嵌入させる。これにより、ホルダ３０の円柱部３０ａの上部が、カバー８０の開口８２から外部に臨む。
【００５９】
この状態で、レンズ駆動装置の動作試験が行われる。かかる動作試験により、レンズ駆動装置に何らかの異常が発見されると、このレンズ駆動装置には、接合レンズ１０は装着されない。
【００６０】
動作試験においてレンズ駆動装置に異常がなければ、接合レンズ１０が装着されたレンズ保持部材２０をホルダ３０に装着する。この場合、接合レンズ１０を開口３３からホルダ３０内に収容する。そして、レンズ保持部材２０に形成されたねじ部２２とホルダ３０の最上部に形成されたねじ部３２とを互いに螺合させ、レンズ保持部材２０をホルダ３０に装着する。こうして、接合レンズ１０がホルダ３０に保持され、図４（ｂ）に示すように、レンズ駆動装置の組み立てが完了する。
【００６１】
こうして組み立てられたレンズ駆動装置が、たとえば、カメラモジュールに組み込まれる際に、バックフォーカスの調節が行われる。この調節では、レンズ保持部材２０を、レンズの光軸を中心に回転させて、レンズ保持部材２０のねじ部２２とホルダ３０のねじ部３２との螺合の深さを変化させる。これにより、ホルダ３０に対する接合レンズ１０の位置を光軸の方向に変位させる。このようにして、接合レンズ１０の光軸方向の位置を変位させて、接合レンズ１０を透過した光がカメラモジュール側のイメージセンサに最も良好に照射されるように、接合レンズ１０の位置が調節される。この調節により、バックフォーカスが最良である位置に、接合レンズ１０が配置される。
【００６２】
図５は、組み立て完了状態におけるレンズ駆動装置の駆動動作を説明する図である。同図（ａ）、（ｂ）は、図３（ａ）のＢ−Ｂ´断面を模式的に示す図である。なお、図中、円に黒点のマークおよび円にバツのマークはコイルに電流が流れる方向を示す。円に黒点のマークは、電流が図面参照者に向かって流れる方向を示し、円にバツのマークはその逆方向を示す。また、同図には、接合レンズ１０が破線により模式的に示されている。
【００６３】
図示のように、磁石４０のＮ極は、ベース６０に巻かれたコイル７０に対向している。ホルダ３０が、図５（ａ）に示す位置（ホームポジション）にある状態において、コイル７０に同図に示す向きの電流が流れると、磁石４０に、同図の矢印方向の推進力が作用する。ホルダ３０は、この推進力を受けて、図５（ｂ）に示すように変位し、これに伴い接合レンズ１０も変位する。
【００６４】
コイル７０への電流の印加を停止すると、上述の推進力がなくなる。この場合、ホルダ３０と接合レンズ１０は、孔３５とシャフト５０との間の摩擦力等によって、電流の印加が停止されたときの位置に保持される。
【００６５】
図５（ｂ）の状態において、コイル７０に、上記とは逆方向の電流が印加されると、ホルダ３０はホームポジションに向かう方向に変位し、これに伴い接合レンズ１０も変位する。
【００６６】
このようにして、ホルダ３０が光軸方向に変位されることにより、接合レンズ１０がオンフォーカス位置に位置づけられる。
【００６７】
図６は、上記構成のレンズ駆動装置を搭載するカメラモジュールの概略構成を示す図である。図中、１００がレンズ駆動装置である。
【００６８】
ベース６０の下面には、ベースカバー１０１が装着される。ベースカバー１０１は、その中央に、光を通すための開口（図示せず）が形成されている。
【００６９】
ベースカバー１０１の下方には、イメージセンサ１０２が装着された回路基板１０３が配置される。また、ベース６０には、位置センサとしてホール素子１０４が配され、ホール素子１０４からの信号をもとにホルダ３０の位置検出が行われる。
【００７０】
フォーカス動作時、ＣＰＵ（Central Processing Unit）１０５は、ドライバ１０６を
制御して、ホルダ３０をホームポジションから予め定められた位置までレンズの光軸方向へ変位させる。このとき、ホール素子１０４からの位置検出信号がＣＰＵ１０５に入力され、同時に、ＣＰＵ１０５は、イメージセンサ１０２からの入力信号を処理して撮像画像のコントラスト値を取得する。そして、このコントラスト値が最良となるホルダ３０の位置をオンフォーカス位置として取得する。
【００７１】
その後、ＣＰＵ１０５は、取得したオンフォーカス位置にホルダ３０が位置付けられる
ように、ホルダ３０を駆動する。ＣＰＵ１０５は、ホール素子１０４からの信号を監視し、ホール素子１０４からの信号がオンフォーカス位置に対応する状態を示すまで、ホルダ３０を駆動する。これにより、ホルダ３０がオンフォーカス位置に位置付けられる。
【００７２】
以上、本実施の形態によれば、レンズ保持部材２０が接合レンズ１０をレンズの光軸方向に積み重なるようにしてレンズを保持する構成であるため、各レンズ１１〜１４の外周がレンズ保持部材２０によって覆われず、よって、各レンズ１１〜１４の口径を大きくすることができる。
【００７３】
また、本実施の形態によれば、レンズ保持部材２０のねじ部２２とホルダ３０のねじ部３２の螺合の深さを調節することによって、接合レンズ１０がレンズの光軸の方向に移動可能なように、レンズ保持部材２０を介してホルダ３０へ装着されるため、レンズ駆動装置がカメラモジュールに装着されるときに、バックフォーカスの調節を容易に行うことができる。
【００７４】
また、本実施の形態によれば、接合レンズ１０ならびにレンズ保持部材２０が脱着可能なように、ねじ部３２とねじ部２１の螺合によってホルダへ装着されるため、接合レンズ１０が組込まれる前のレンズ駆動装置の動作試験が行われた後に、接合レンズ１０の組込みを行うことができる。よって、接合レンズ１０の無駄な消費を抑制することができる。
【００７５】
以上のとおり、本実施の形態によれば、レンズ駆動装置に大きなレンズを用いることができ、バックフォーカスの調整が容易で、且つ、レンズの無駄な消費を抑制可能な、レンズ駆動装置およびカメラモジュールを提供することができる。
【００７６】
また、本実施の形態によれば、最も光の入射側にあるレンズ１１を、レンズ保持部材２０に固着するだけで、一体化された複数のレンズ１１〜１４をレンズ保持部材２０に装着することができる。加えて、本実施の形態によれば、最も光の入射側にあるレンズ１１の最上部を、レンズ保持部材２０の凹部２３に嵌入するだけで、一体化された複数のレンズ１１〜１４の光軸を、レンズ保持部材２０の中心軸に整合させることができる。
【００７７】
また、本実施の形態によれば、レンズ保持部材２０が、最も径が小さいレンズ１１の外周に配されるため、レンズ保持部材２０のねじ部２２を、接合レンズ１０の径方向に小型化できる。本実施の形態によれば、レンズ保持部材２０が、光の入射側から１番目のレンズ１１と２番目のレンズ１２の間の光軸に垂直な方向の空きスペースに配されるため、レンズ保持部材２０によるレンズ駆動装置１００」の大型化を抑制することができる。
【００７８】
＜変更例１＞
上記実施の形態では、接合レンズ１０がホルダ３０の上側からホルダ３０内に収容された。これに対し、本変更例では、接合レンズ１０がホルダ３０の下側からホルダ３０内に収容される。
【００７９】
図７は、接合レンズ１０、レンズ保持部材２０ならびにホルダ３０の形状と、これらの部材の組み立てを説明する断面図である。図７（ａ）は、これらの部材の組み立て前の図、図７（ｂ）は組み立て後の各部材の配置の様子を示す図である。図７は、上記実施の形態における図２に対応する。
【００８０】
図７（ａ）を参照して、接合レンズ１０は、上記実施形態と同様、４つのレンズ１１〜１４と、クランプリング１５からなる。本変更例は、接合レンズ１０の最外径が、ホルダ３０のねじ部３２の径よりも大きいという点において、上記実施の形態と相違している。また、レンズ１１〜１４の径が、上記実施の形態に比べ、相違している。
【００８１】
本変更例では、レンズ駆動装置の組み立ての際に、接合レンズ１０を、図４（ａ）に示すように、ホルダ３０の開口３３を通してホルダ３０のレンズ収容部３１へ収容することができない。そこで、本変更例においては、図８（ａ）に示すように、ベース６０の底面に形成された開口６４の径が、上記実施の形態に比べ広げられ、この開口６４から接合レンズ１０がホルダ３０内に収容される。
【００８２】
本変更例においても、上記実施の形態と同様、接合レンズ１０が装着される前の状態において、レンズ駆動装置の動作確認が行われる。その後、接合レンズ１０が装着されたレンズ保持部材２０が、ベース６０底面側の開口６４からホルダ３０内に収容される。そうして、レンズ保持部材２０のねじ部２２がホルダ３０のねじ部３２に螺合され、接合レンズ１０がホルダ３０に保持される。これにより、図８（ｂ）に示すように、レンズ駆動装置の組み立てが完了する。
【００８３】
本変更例においても、上記実施の形態と同様、レンズ保持部材２０のねじ部２２とホルダ３０のねじ部３２の螺合の深さを変えることによって、バックフォーカスの調整が行われる。
【００８４】
＜変更例２＞
上記実施の形態では、レンズ保持部材２０のねじ部２２は外向きであった。これに対し、本変更例では、レンズ保持部材２０のねじ部２２は内向きとなっている。したがって、ホルダ３０のねじ部３２は外向きである。本変更例におけるその他の構成は、上記実施の形態と同様である。
【００８５】
図９ないし図１２は、本変更例の構成を示す図である。図９（ａ）、（ｂ）は、上記実施の形態における図１（ａ）、（ｂ）に対応する図、図１０（ａ）、（ｂ）は、上記実施の形態における図２（ａ）、（ｂ）に対応する図、図１１（ａ）、（ｂ）は、上記実施の形態における図３（ａ）、（ｂ）に対応する図、図１２（ａ）、（ｂ）は、上記実施の形態における図４（ａ）、（ｂ）に対応する図である。
【００８６】
図９（ａ）、（ｂ）に示すように、本変更例におけるレンズ保持部材２０は、上記実施の形態に比べ、径が大きくなっている。図１０（ａ）、（ｂ）に示すように、本変更例におけるレンズ保持部材２０のねじ部２２は内向きとなっており、ホルダ３０のねじ部３２は外向きとなっている。接合レンズ１０が装着されたレンズ保持部材２０は、レンズ保持部材２０のねじ部２２を、ホルダ３０のねじ部３２に螺合させることにより、ホルダ３０に装着される。これにより、接合レンズ１０がホルダ３０に保持される。
【００８７】
本変更例においても、上記実施の形態と同様、接合レンズ１０が装着される前の状態（図１２（ａ）参照）において、レンズ駆動装置の動作確認が行われる。その後、接合レンズ１０が装着されたレンズ保持部材２０が、開口３３からホルダ３０内に収容される。そうして、レンズ保持部材２０のねじ部２２がホルダ３０のねじ部３２に螺合され、接合レンズ１０がホルダ３０に保持される。これにより、図１２（ｂ）に示すように、レンズ駆動装置の組み立てが完了する。
【００８８】
本変更例においても、上記実施の形態と同様、レンズ保持部材２０のねじ部２２とホルダ３０のねじ部３２の螺合の深さを変えることによって、バックフォーカスの調整が行われる。
【００８９】
以上、本発明の実施の形態および変更例について説明したが、本発明は、上記実施の形態および変更例に何ら制限されるものではなく、また、本発明の実施形態も上記以外に種
々の変更が可能である。
【００９０】
たとえば、上記実施の形態および変更例では、光の入射側から外径が小さい順に並ぶように、レンズ１１〜１４が配置されたが、レンズ１１〜１４の配置順は、上記に以外にも種々の変更が可能である。ただし、レンズ保持部材２０の小型化を実現するためには、なるべく外径が小さいレンズをレンズ保持部材に装着するのが望ましい。
【００９１】
また、上記実施の形態および変更例では、最も光の入射側のレンズにレンズ保持部材２０を装着するようにしたが、最も光の出射側のレンズにレンズ保持部材２０を装着するようにしても良い。
【００９２】
また、上記実施の形態では、ホルダ３０の一つの側面には一つの磁石４０が配置されたが、各側面に２つ以上の磁石を配置するようにしても良い。
【００９３】
また、磁石４０は、ホルダ３０の角柱部３０ｂに配置されたが、ホルダ３０の角柱部３０ｂに対応する部分が円柱形状に変更されても良く、この場合、この円柱形状の部分に、その外周に沿うような円弧形状の磁石が装着されるようにしても良い。この場合、磁石装着部３４も円弧状に形成される。また、ベース６０も、コイル７０が円形に巻かれるように形成される。
【００９４】
また、ホルダ３０に収容されるレンズの個数も、４個に限らず、他の個数であっても良い。
【００９５】
さらに、ホルダ３０やベース６０等の形状も、上記に限られるものではなく、適宜変更が可能である。また、２本のシャフト５０の径は同じでなくても良く、シャフト以外のガイド機構によって、ホルダ３０がレンズの光軸方向に案内されるようにしても良い。
【００９６】
なお、レンズ保持部材２０とレンズとの固着は、接着材による接着や圧入等の方法により行うことができる。たとえば、接着材による接着の場合、図２（ｂ）において、レンズ保持部材２０とレンズ１１の互いに対向する面の間に接着材を介在させることにより、レンズ保持部材２０とレンズ１１との固着を行っても良い。また、図２（ａ）および（ｂ）を参照して、レンズ１１の外周面１１Ｐとレンズ保持部材２０の底面２０Ｂとで挟まれた領域ＢＤに接着材を介在させることによりレンズ１１とレンズ保持部材２０を固着してもよい。即ち、レンズ１１の外周面１１Ｐとレンズ保持部材２０の底面２０Ｂとを接着剤により固着してもよい。
【００９７】
この他、本発明の実施の形態は、特許請求の範囲に示された技術的思想の範囲内において、適宜、種々の変更が可能である。
【符号の説明】
【００９８】
１００  …  レンズ駆動装置
１０  …  接合レンズ（レンズ）
２０  …  レンズ保持部材（保持部材）
２２  …  ねじ部
２３  …  凹部（嵌合部）
３０  …  ホルダ
３２  …  ねじ部
【図１】
2012047834.tif 000003
【図２】
2012047834.tif 000004
【図３】
2012047834.tif 000005
【図４】
2012047834.tif 000006
【図５】
2012047834.tif 000007
【図６】
2012047834.tif 000008
【図７】
2012047834.tif 000009
【図８】
2012047834.tif 000010
【図９】
2012047834.tif 000011
【図１０】
2012047834.tif 000012
【図１１】
2012047834.tif 000013
【図１２】
2012047834.tif 000014